(57)【要約】【課題】共同玄関にオートロックを備えた集合住宅において、防犯性と利便性の高いエレベーター装置を得る。【解決手段】共同玄関に各住戸の鍵にて解錠可能なオートロックを備えた集合住宅において、基準階乗り場に乗り場釦に加えて解錠装置を備え、通常は乗り場釦を無効にして該解錠装置の解錠操作によって呼びを登録するようにした集合住宅用エレベーター装置であって、該解錠装置を各住戸の鍵で解錠操作できるカード型機械式解錠装置とし、利便性を確保しつつ防犯性を高めるようにした。【選択図】　　　　図１
2004043042.tif 000002
【特許請求の範囲】
【請求項１】
各住戸の扉に設けた解錠装置、共同玄関に設けたオートロック、オートロックの解錠・施錠を制御するオートロック制御盤、共同玄関に設置した集合住宅内の全住戸の鍵にて解錠可能なオートロック解錠装置を有する集合住宅に設けられ、エレベーターかごを制御するエレベーター制御盤、基準階エレベーター乗り場に設置した解錠装置を備えた集合住宅用エレベーター装置において、該基準階エレベーター乗り場の解錠装置は集合住宅内の全住戸の鍵にて解錠可能であることを特徴とする集合住宅用エレベーター装置。
【請求項２】
上記各住戸の扉、共同玄関、基準階エレベーター乗り場に設けられる解錠装置は、パンチングが施されたカードで形成されるカードキーと、パンチングが施された照合用カードを内蔵し、該照合用カードによってカードキーのパンチングパターンを照合して解錠を行う解錠装置にて構成されるカード型機械式解錠装置であって、各住戸の解錠装置には住戸毎に固有のパンチングパターンを有する照合用カードを内蔵し、居住者は該照合用カードと同一のパンチングパターンを有するカードキーを所持し、共同玄関及び基準階エレベーター乗り場に設置する解錠装置には全住戸のカードキーを照合可能な照合用カードを内蔵することを特徴とする請求項１に記載のエレベーター装置。
【発明の詳細な説明】
【０００１】
【発明が属する技術分野】
全住戸の鍵にて解錠可能な共同玄関オートロックを備えた集合住宅に設置され、基準階乗り場に解錠装置を備える集合住宅用エレベーター装置であって、該解錠装置は全住戸の鍵で解錠操作可能なエレベーター装置に関する。
【０００２】
【従来の技術】
マンションなどの集合住宅に設置されるエレベーターにおいては、不審者の乗り入れを防止するため、共同玄関が設置してある階（以下「基準階」とする）の乗り場には、通常設置される乗り場呼び釦に加えて解錠装置を設置する技術が提案されている。この構成により、通常は乗り場呼び釦を無効として該解錠装置を操作してエレベーター呼びを登録するようにし、鍵を持たない不審者のエレベーター乗り入れを防止することができる。
【０００３】
一方、マンションなどの集合住宅の共同玄関には、防犯のためオートロックが多く設置されている。オートロックに使用される解錠装置は、集合住宅内の全住戸の鍵によって解錠できるように設定されている。この構成により居住者は住戸の鍵にてオートロックも解錠することができ、防犯性と共に利便性も高めることができる。
【０００４】
このようなオートロック付共同玄関を備えた集合住宅に設置されたエレベーターにおいて、基準階乗り場に設置される解錠装置はエレベーター専用であり、住戸及び共同玄関の鍵とは別物であった。したがって、居住者が建物に入館し、基準階にてエレベーターを利用する場合、共同玄関にて住戸の鍵を使用してオートロックを解錠し、次にエレベーター乗り場にてエレベーター専用の別の鍵により解錠操作し、エレベーターの呼び登録を行わなければならなかった。
【０００５】
【発明が解決しようとする課題】
上記したように、集合住宅に設置されたエレベーター装置において、居住者が基準階乗り場にて使用する鍵はエレベーター専用で、住戸及び共同玄関用の鍵とは別物であったため、居住者は自室の鍵以外にエレベーター専用の鍵も持たなくてはならないという不便があった。
【０００６】
本発明は、上記の問題を解決し、上記のエレベーター装置において、基準階乗り場の解錠装置を住戸及び共同玄関用の鍵で解錠可能にすることにより、居住者は住戸の鍵のみを用いて共同玄関を通過し、エレベーターを利用して住戸内に入ることができるようにし、防犯性を損なわず利便性を高めることを目的とする。
【０００７】
さらに本発明においては、解錠装置として、ピッキングされにくいカード型解錠装置を採用し、解錠装置の防犯性を高めて本装置の防犯性をさらに高めることを目的とする。
【０００８】
【課題を解決するための手段】
請求項１に記載の発明においては、各住戸の扉に設けた解錠装置、共同玄関の扉に設けられたオートロック、オートロックの解錠・施錠を制御するオートロック制御盤、共同玄関に設けられ集合住宅内の全住戸の鍵にて解錠可能なオートロック解錠装置を有する集合住宅に設けられ、エレベーターかごを制御するエレベーター制御盤、基準階エレベーター乗り場に設けられた解錠装置を備えた集合住宅用エレベーター装置において、該基準階エレベーター乗り場の解錠装置は集合住宅内の全住戸の鍵にて解錠可能であることを特徴とする集合住宅用エレベーター装置を提供する。
【０００９】
上記構成によって、エレベーター基準階乗り場の解錠装置を集合住宅内の全住戸の鍵にて解錠可能としたことにより、居住者は共同玄関のオートロック及び各住戸の解錠装置とエレベーター基準階乗り場の解錠装置を、住戸用の鍵にて解錠することができるようになり、高い防犯効果と利便性を得ることができる。
【００１０】
請求項２においては、各住戸の扉、共同玄関のオートロック、基準階エレベーター乗り場に設けられる解錠装置は、パンチングが施されたカードで形成されるカードキーと、パンチングが施された照合用カードを内蔵し、該照合用カードによってカードキーのパンチングパターンを照合して解錠を行う解錠装置にて構成されるカード型機械式解錠装置であって、居住者が所持するカードキーは各住戸に設置する解錠装置に内蔵する照合用カードと同一のパンチングパターンを有し、共同玄関のオートロック及び基準階エレベーター乗り場に設置する解錠装置には全住戸のカードキーを照合可能な照合用カードを内蔵することを特徴とする請求項１に記載のエレベーター装置を提供する。
【００１１】
この構成により、請求項１に記載の装置においてピッキングされにくいカード型解錠装置を採用することにより、解錠装置の防犯性を高めて本装置の防犯性をさらに高めることができる。
【００１２】
【発明の実施の形態】
まず図１を用いて本装置の構成を説明する。
本発明は、エレベーターかごを制御するエレベーター制御盤１、基準階エレベーター乗り場２に乗り場呼び釦３と解錠装置４を備えたエレベーター装置５と、共同玄関６の扉に設けられたオートロック７、オートロック制御盤８、共同玄関６に設けられたオートロック解錠装置４、各住戸９の扉に設けた解錠装置４を備えた集合住宅によって構成される。
【００１３】
各住戸９・共同玄関６・基準階エレベーター乗り場２に設置される解錠装置４について説明する。居住者が住戸の鍵にて上記全ての解錠装置４を解錠できるようにするためには、各住戸９には住戸毎に固有の解錠装置４を設置し、全居住者が通過する共同玄関６、基準階乗り場の解錠装置４は、全住戸の鍵にて解錠できるように構成しなければならない。上記構成を実現する解錠装置４として、本発明においては防犯性と利便性が高いカード型機械式解錠装置を採用するが、他方式の解錠装置を設置することもできるのは言うまでもない。
【００１４】
次に、本発明において使用するカード型機械式解錠装置について説明する。図２は、居住者がもつ鍵に相当し、パンチング１０が施された樹脂製のカードで形成されるカードキー１１である。以下、本装置の構成を図３を用いて説明する。本装置はカードキー１１を解錠装置４に差し込んでそのパンチングパターンを照合することにより解錠する。解錠装置４には予めパンチング１０を施した照合用カード１２を内蔵しておき、照合はこの照合用カード１２とカードキー１１のパンチングパターンを機械的に照合して行われる。
【００１５】
各住戸９の解錠装置４には、住戸毎に固有のパンチングパターンを有する照合用カード１２を内蔵し、該照合用カード１２と同一パターンを有するカードキー１１は居住者のみが携帯することによって、各住戸９は居住者のみ解錠可能とする。全居住者が通過する共同玄関６と基準階エレベーター乗り場２においては、解錠装置４には全住戸のカードパターンを照合することができる、いわゆる逆マスター機能をもつ照合用カード１２を内蔵し、全住戸のカードキー１１にて解錠できるようする。この逆マスター機能は例えば、全住戸のカードキー１１に共通のパンチングパターン部を設け、該共通のパンチングパターンを有する照合用カード１２にて照合することによって実現できる。
【００１６】
このように内蔵する照合用カード１２を変えて解錠装置４の機能を変えることによって、居住者は一枚のカードキー１１で集合玄関からエレベーター、住戸まで解錠することができるような構成とし、防犯性を保ちながら入室するようにすることができる。
【００１７】
尚、解錠装置４は、通常図４に示すようなケース１３に納められており、該ケース１３はケース専用の鍵１４にて開けることができる。カードを紛失した際は、ケース１３を開け照合用カード１２を差し替えるだけで、解錠装置４の交換が終了し、紛失したカードを使用できなくすることができる。このように本解錠装置４においては通常の解錠装置４より安価にキーの交換をすることができる利点がある。
【００１８】
尚、このカード型機械式解錠装置は、ピッキングされにくく防犯性が高いというカード型解錠装置の利点を有し、かつ磁気式又は電気式で信頼性に欠けるという従来のカード型解錠装置の欠点を解決するものである。この解錠装置４を採用することにより解錠装置４自体の防犯性を高め、本発明の装置の防犯性をさらに向上させることができる。
【００１９】
次に本装置の動作について説明する。
１．居住者は共同玄関６にてカードキー１１を挿入し解錠操作を行う。カードが照合されると共同玄関６のオートロック７が解錠され、居住者は共同玄関６を通過し、基準階エレベーター乗り場２まで到達することができる。
２．居住者は基準階のエレベーター乗り場２でも同様にカードキー１１にて解錠操作を行い、カードが照合されるとエレベーター呼びが登録される。
共同玄関６・基準階乗り場の解錠装置４は全住戸のカードキー１１を照合できるいわゆる逆マスター機能を有する照合用カード１２が内蔵されているため、全居住者がもつカードキー１１にて解錠することができる。
３．エレベーターに乗り込んだ居住者は、かごの中で自室の行き先階ボタンを押し、居住階へ到達することができる。
４．住戸扉にて解錠操作を行い、カードが照合されると住戸の鍵が解錠され部屋に入ることができる。
住戸には各住戸固有の照合カードを内蔵する解錠装置４が設置されているため、居住者がもつカードキー１１でのみ解錠することができる。
【００２０】
このように、カード型機械式解錠装置４を用いて、解錠装置４に内蔵する照合用カード１２を変えることで解錠装置４の機能を変えて、一枚のカードキー１１にて共同玄関６を通過しエレベーターを利用して各住戸９に入ることができるようにし、防犯性を保ちながら利便性を向上することができる。
【００２１】
【発明の効果】
本発明により以下の効果を得ることができる。
請求項１に記載の発明においては、全住戸の鍵にて共同玄関のオートロックを解除できる集合住宅において、エレベーター基準階乗り場の解錠装置を全住戸の鍵にて解錠可能にしたので、居住者は住戸の鍵だけで共同玄関を通過しエレベーターを利用して住戸に入室することができ、高い防犯効果と利便性を得ることができる。
【００２２】
請求項２に記載の発明においては、請求項１に記載の発明において、カード型機械式解錠装置を採用したため、ピッキングされにくいカード型解錠装置を用いることにより解錠装置の防犯性を向上させることによって、本装置の防犯性をさらに向上させることができる。
【００２３】
【図面の簡単な説明】
【図１】本発明の構成図
【図２】カードキーの構成図
【図３】カード型機械式解錠装置の構成図
【図４】解錠装置ケースの正面図
【符号の説明】
１　　エレベーター制御盤
２　　基準階エレベーター乗り場
３　　乗り場呼び釦
４　　解錠装置
５　　エレベーター装置
６　　共同玄関
７　　オートロック
８　　オートロック制御盤
９　　各住戸
１０　　パンチング
１１　　カードキー
１２　　照合用カード
１３　　ケース
１４　　ケース専用の鍵
【図１】
2004043042.tif 000003
【図２】
2004043042.tif 000004
【図３】
2004043042.tif 000005
【図４】
2004043042.tif 000006